(57)【特許請求の範囲】
【請求項１】
搬送用ベルト基布の外周面に、搬送物滑止用の複数個の桟を任意間隔をおいて横方向に取り付けた桟付き搬送用ベルトにおいて、ベルト基布及び桟が合成樹脂フィラメントの経糸と緯糸から織成された通水能を有するメッシュ織物であって、桟とベルト基布の接合部分において、該桟を構成する経糸又は緯糸を複数本除去し、除去することにより露出した簾状の経糸又は緯糸の少なくとも一部が該ベルト基布を構成する経糸と緯糸間で形成される目開き部分に挿し込まれており、かつ挿し込まれた該経糸又は該緯糸の少なくとも一部が該ベルト基布のメッシュ組織両側に交互に編み込まれていることにより、桟とベルト基布が接合されたことを特徴とする通水性桟付き搬送用ベルト。
【請求項２】
ベルト基布が、モノフィラメント糸からなる経糸と緯糸を織成した有端状の基布の両端部に継ぎ手部を設け、該両端部を該継ぎ手部にて連結し無端状となっていることを特徴とする請求項１記載の通水性桟付き搬送用ベルト。
【発明の詳細な説明】
【０００１】
【発明の属する技術分野】
本発明は、野菜、穀物等の食品類の洗浄後の水切り工程や乾燥工程、産業資材部品の乾燥工程等においても幅広く使用される、荷こぼれ防止、傾斜搬送時の滑り止め等の目的で、ベルト表面に桟を接合する桟付き搬送用ベルトに関する。
【０００２】
【従来の技術】
従来より搬送用ベルト表面に、荷こぼれ防止、滑り止め等の目的で、ベルト外周面に金具接合や接着剤接合又は加熱プレス接合等にて桟を取り付けた桟付き搬送ベルトは知られている。例えば、実開昭５８−１０６３１１号公報には、ゴム、樹脂などの弾性体よりなるベルトの表面に、軽量化のため、ウレタンフォーム等の発泡体より成る桟を接着剤にて取り付けたものが開示されており、特開昭６１−１１９５０５号公報には、抗張力維持を目的に、ベルト基布表面及び桟基布表面にポリウレタンやポリ塩化ビニルより成るプラスチックカバーを積層したエンドレスベルト本体及び桟を高周波誘電加熱接合にてプラスチックカバー同士のみを溶融接着したものが開示されている。
【０００３】
【発明が解決しようとする課題】
しかしながら、従来より使用されている桟付きベルトにおいて、桟とベルト基布の接合の点から言えば、例えば桟とベルト本体を金具接合した桟付き搬送ベルトは、金具の脱落や金具の破損、欠け等による搬送物中への異物混入等の問題が有り、特に食品搬送工程には不適とされる場合があった。接着剤接合した桟付き搬送ベルトは、接着強度の点から、桟の剥がれ、脱落等の問題、さらには特に食品、薬剤等の搬送工程には、接着剤の種類によっては不適とされる場合もあった。また加熱プレス接合した桟付き搬送ベルトは、桟やベルト本体の接合部分における樹脂を溶融固化してしまい経時劣化、抗張力保持の点で問題となる場合があった。
【０００４】
次に、桟について言えば、桟がウレタンや塩化ビニル等の樹脂成形一体型のものは成形し易くベルト基布との接合もし易い利点を有するが、例えば、野菜や穀物等の食品の洗浄後の水切り工程に使用される場合においては、桟が通水性を具備しないため、水切り性に劣ると共に、水が桟表面及びベルト表面を横方向に流れてベルトサイドへ流れ落ちる際に、搬送物まで同時に流されてしまうといったサイドリーク（横漏れ）が発生し易いといった欠点があった。また一般的に桟材として汎用されているウレタンフォーム材は、長期間使用時において黄変する傾向があると共に、耐熱温度が常用８０℃以下と低いために、殺菌のための熱水、熱風処理、乾燥処理を行う場合には桟が軟化してしまい不適であった。
【０００５】
前記、実開昭５８−１０６３１１号公報記載及び特開昭６１−１１９５０５号公報記載の桟付き搬送用ベルトにおいても、その構成上、桟及びベルト基布は通水性を具備せず、水切り性やサイドリーク、また上記殺菌処理等衛生面の点から満足できるものではなかった。
【０００６】
本発明はこれらの従来技術に鑑み、桟付き搬送用ベルトにおいて、ベルト基布を劣化させることなく桟とベルト基布を強固に接合し、耐久性に優れ、軽量で、水切り、乾燥工程において好適な桟付き搬送ベルトを提供しようとするものである。特に食品搬送工程において、ベルト構成物からなる異物の混入の恐れのない安全な桟付き搬送用ベルトを提供しようとするものである。
【０００７】
【課題を解決するための手段】
上記課題を解決するため、搬送用ベルト基布の外周面に、搬送物滑止用の複数個の桟を任意間隔をおいて横方向に取り付けた桟付き搬送用ベルトにおいて、ベルト基布及び桟を合成樹脂フィラメントの経糸と緯糸から織成された通気性、通水性を有するメッシュ織物より構成し、桟とベルト基布が接合される部分において、桟を構成する経糸又は緯糸を複数本除去し、除去することにより露出した簾状の経糸又は緯糸の少なくとも一部を、ベルト基布を構成する経糸と緯糸間で形成される目開き部分に挿し込み、挿し込まれた経糸又は緯糸の少なくとも一部をベルト基布のメッシュ組織両側に交互に編み込むことにより、桟とベルト基布が別の接合材を使用せずに強固に接合された通水性を具備した通水性桟付き搬送用ベルトが得られる。本発明による通水性桟付き搬送用ベルトは、桟をベルト基布に取り付け、固定する際に、接着剤や他の接合材を使用せず直接接合するため、ベルト構成物からなる異物混入の恐れがない。また、メッシュ織物は多数の目開き部を有することにより、通気性、通水性を具備し、特に水切り工程に使用される場合、水切り性に優れると同時にサイドリークに優れた桟付き搬送用ベルトとなる。
【０００８】
ベルト基布及び桟は、合成樹脂フィラメントから構成されるのが好ましい。防汚性、剛性等を考慮するとモノフィラメント糸から構成されるのがより好ましい。素材としては、合成樹脂から成るフィラメントであればよく特に限定されないが、耐久性、耐薬品性、耐熱性の点から、ポリエステル（ＰＥＴ）やポリフェニレンスルファイド（ＰＰＳ）が好ましい。殺菌処理、乾燥処理等の高温下にて使用される場合に適用可能となり衛生面でも好ましい。より防汚性を高めるためにはフッ素含有又はフッ素加工されたフィラメントを用いてもよい。
【０００９】
また、搬送用ベルト基布及び桟が経糸と緯糸から織成されたメッシュ織物であることが好ましい。織組織としては、平織り又は綾織りの一重織、又は２／１綾織り等の二重織組織の織物が、通水性、剛性の両特性の点から好ましい。桟本体を構成する経糸又は緯糸の一部をベルト基布に挿込、挿し込んだ糸の一部を利用して、ベルト基布に編み込むことにより、桟とベルト基布が直接接合されるため、桟とベルト基布は同一メッシュ組織のものが好ましい。また、メッシュ織物の目開き部は挿し込む糸の断面積以上が好ましい。編み込む方向は、桟の保持強力を考慮するとベルト基布の経糸方向が好ましく、編み込み本数は、搬送物重量により適宜設定すればよい。編み込み本数が増えるほど桟の保持強力は増加するが編み込む手間も増えるため、桟の必要保持強力に合わせて編み込み本数を設定すればよい。編み込みは桟の片側又は両側いずれでもよいが、桟の固定性を考慮すれば両側編み込みが好ましい。編み込む糸以外は、ベルト基布裏側で切断し、ベルト基布走行の障害とならない程度にカッティングしておくことが好ましい。さらに桟の接合強度が必要な場合には、超音波ウエルダー加工にて補強接合してもよい。経糸、緯糸の線経は０．３〜１．５ｍｍが好ましい。線径が０．３ｍｍ未満では剛性に劣り、１．５ｍｍを超えると製織性が困難になると同時に不経済である。線型は扁平のものを用いてもよい。桟付き搬送ベルトの使用条件により適宜選定すればよい。搬送用ベルト基布及び桟をメッシュ織物より構成することにより、例えば水槽中から搬送物をすくい上げる工程等に使用される場合、水切れがよいと同時に水中での桟付き搬送用ベルトの抵抗が少なくなり、動力負荷が少なく省エネルギー化、搬送スピード向上が可能となる。また、水切り工程後の乾燥工程においても水切り度が高い分、乾燥効率も向上できる。また、桟付き搬送用ベルト自体を軽量化できる。
【００１０】
搬送用ベルト基布が、モノフィラメント糸からなる経糸と緯糸を織成した有端状の基布の両端部に継ぎ手部を設け、該両端部を該継ぎ手部にて連結し無端状としたものが好ましい。継ぎ手の構造としては、有端状のベルト基布の両端部から緯糸を除去して、緯糸を除去することにより露出した簾状の経糸を折り返し、適宜その一部をループ形状とし、経糸の折り返し先端部をベルト基布に織り込み、ベルト基布の両端部に形成された経糸ループ同士を噛み合わせ、噛み合わせて形成される経糸ループ共通孔に接続用芯線を挿通し連結するワープループシーム構造や、前記経糸ループに合成樹脂モノフィラメントからなるスパイラル線条を噛み合わせ、噛み合わせて形成される共通孔にスパイラル線条固定用芯線を挿通し、ベルト基布の両端部に形成されたスパイラル線条同士を噛み合わせ、噛み合わせれ形成されたスパイラル線条共通孔に接続用芯線を挿通し連結するスパイラル構造、又はこれらを組み合わせたものでもよい。このような継ぎ手部を設けることにより、必要に応じ桟付き搬送用ベルトの取り外し、洗浄が可能となり、桟付き搬送用ベルト取り付け機械保全や桟付き搬送用ベルトそのものの保守が簡易化される。
【００１１】
【発明の実施の形態】
本発明の実施の形態について、図１〜３に基づいて説明する。図１〜３は本発明の通水性桟付き搬送用ベルトを説明するため一例の略図であって、これに限定されるものではない。図１は、通水性桟付き搬送用ベルトの桟とベルト基布の接合部略図である。１０は通水性桟付き搬送用ベルト、１はベルト基布、２は通水性を具備した多数の目開きのある桟、３は編み込み部、４は経糸、５は緯糸、６は目開き部を示す。
【００１２】
桟の形態は特に限定されるものではないが、図２に桟の各種の形態略図を示す。１０は通水性桟付き搬送用ベルト、１１は桟直立型のもの、１２は桟が空洞を有する四角型のものである。
【００１３】
図３に本発明の通水性桟付き搬送用ベルトの使用状態における概略断面図を示す。１０は通水性桟付き搬送用ベルト、２１は洗浄用水槽、２２は水、２３は搬送物、２４はベルト支持ローラー、１はベルト基布、２は桟、７は継ぎ手部を示す。
【００１４】
【実施例】
本発明の実施例を図に基づいて以下に具体的に説明する。
【００１５】
（実施例１）経糸４及び緯糸５に繊維径０．８ｍｍのポリエステルモノフィラメントを使用し、公知の方法で一重織り組織に織成した有端状のメッシュ織物（経糸密度１２本／インチ、緯糸密度１２本／インチ）を準備し、その両端部に公知の方法にてワープループシーム構造の継ぎ手部を設け、接続用芯線にて連結し、無端状のベルト基布１を得た。桟材はベルト基布と同一のメッシュ織物を準備し、桟材のベルト基布と接合する側の緯糸を複数本除去し、緯糸を除去することにより露出した簾状の経糸をベルト基布の表面から目開き部に挿し込み、ベルト基布裏面に出た桟材の経糸を８本に１本の割合で折り曲げ、ベルト基布組織の経糸方向に編み込む。編み込む方向は桟の両サイドベルト基布に交互に編み込む。残された桟材の簾状の経糸はベルト基布裏面にてカッティングする。これらの桟の接合処理をベルト基布外周面に施し、複数個の桟を有した通水性桟付き搬送用ベルト１０を得た。得られた通水性桟付き搬送用ベルトは、桟及びベルト基布がそれぞれ空間率５６％（空間率とは一定面積あたりの目開き部の占有する面積割合を示す）、通気度６００００ＣＣＭの目開き部を有したメッシュ織物から成り、水槽中の搬送物を傾斜搬送する工程に使用したところ、桟の構成する目開き部より水が通水、流出し、水切れがよく、かつ搬送物が荷こぼれ、サイドリークすることなく、搬送されるものであった。また、熱水殺菌処理時や、高温乾燥工程に使用しても桟が軟化することなく、搬送物を搬送可能なものであった。
【００１６】
【発明の効果】
本発明により、荷こぼれ防止、傾斜搬送時の滑り止め等の目的で使用される桟付き搬送用ベルトにおいて、軽量で、桟とベルト基布との接合部を劣化させることなく強固に接合するため耐久性に優れ、通水性能を具備した水切り性に優れた桟付き搬送用ベルトが得られる。また桟が接合材を介さずベルト基布に直接接合されているため、特に食品搬送工程などではベルト構成物による異物混入の恐れのない桟付き搬送用ベルトとなる。
【図面の簡単な説明】
【図１】  本発明による通水性桟付き搬送用ベルトの桟とベルト基布の接合部略図である。
【図２】  本発明による通水性桟付き搬送用ベルトの桟の各種の形態を示した略図である。
【図３】  本発明による通水性桟付き搬送用ベルトの使用状態における概略断面図である。
【符号の説明】
１  ベルト基布
２  桟
３  編み込み部
４  経糸
５  緯糸
６  目開き部
７  継ぎ手部
１０  通気性桟付き搬送用ベルト
１１  桟直立型のもの
１２  桟が空洞を有する四角型のもの
２１  洗浄用水槽
２２  水
２３  搬送物
２４  ベルト支持ローラー
【図１】
0003954225.tif 000002
【図２】
0003954225.tif 000003
【図３】
0003954225.tif 000004